(57)【特許請求の範囲】
【請求項１】
対象空間（ＳＩ）の空気と前記対象空間外である外部空間（ＳＯ）の空気との間で熱交換させながら換気を行うための換気装置（１、６０１）であって、
前記対象空間の空気と前記外部空間の空気との間で熱交換させる全熱交換部（５０ａ）と、
前記対象空間から前記全熱交換部まで延びる上流側排気流路（Ａ）と、
前記全熱交換部から前記外部空間まで延びる下流側排気流路（Ｂ）と、
前記外部空間から前記全熱交換部まで延びる上流側給気流路（Ｃ）と、
前記全熱交換部から前記対象空間まで延びる下流側給気流路（Ｄ）と、
前記上流側排気流路から分岐して、前記全熱交換部を迂回しながら、前記下流側排気流路まで延びている迂回流路（３８、３３８）と、
前記上流側排気流路から前記全熱交換部または前記上流側給気流路から前記全熱交換部に向かう空気中の集塵を捕捉するフィルタ部（５１、５３、２５１、３５１、４５１、５５１）と、
前記フィルタ部が捕捉している前記集塵を前記フィルタ部から分離させ、前記分離させた分離物を前記迂回流路中に存在させる分離機構（６０、６５、６６、２６０、３６０、３６０ａ、４６０、５６５）と、
前記迂回流路中における前記下流側排気流路に向かう空気流れを生じさせる排気ファン（４３、６４３）と、
を備え、
前記フィルタ部の一部が前記迂回流路内に位置するように配置されている、
換気装置（１、６０１）。
【請求項２】
前記分離機構は、掻き落とし部（６５、６６、３６５、３６５ａ、４６５、５６５）と、前記掻き落とし部に対する前記フィルタ部の位置を相対的に変動させる相対移動分離構造（６０、２６０、３６０、３６０ａ、４６０）と、を有している、
請求項１に記載の換気装置。
【請求項３】
前記フィルタ部は、無端形状であり、
前記相対移動分離構造は、前記フィルタ部を循環させることにより、前記フィルタ部が捕捉している前記集塵の少なくとも一部を前記フィルタ部から分離させる、
請求項２に記載の換気装置。
【請求項４】
前記フィルタ部は、一端と他端とを有し、
前記相対移動分離構造は、前記フィルタ部を移動させることにより、前記フィルタ部が捕捉している前記集塵の少なくとも一部を前記フィルタ部から分離させる、
請求項２に記載の換気装置。
【請求項５】
前記掻き落とし部は、前記迂回流路に配置されている、
請求項２から４のいずれか１項に記載の換気装置。
【請求項６】
前記掻き落とし部は、前記フィルタ部に対する位置が相対的に変動している状態で、前記フィルタ部に接触するブラシ（６５、６６、３６５、３６５ａ、４６５）を有している、
請求項５に記載の換気装置。
【請求項７】
所定の相対移動に関する信号を受け付けた場合に前記フィルタ部に対する前記掻き落とし部の位置の相対的な変動を自動的に行う自動制御部（７０）をさらに備えた、
請求項２から６のいずれか１項に記載の換気装置。
【請求項８】
前記上流側排気流路から前記迂回流路への空気流れを許容する迂回状態と、前記上流側排気流路から前記迂回流路への空気流れを許容しない迂回禁止状態と、を切換可能な切換機構（３９、３３９ａ、３３９ｂ、５３９ａ、５３９ｂ）をさらに備えた、
請求項１から７のいずれか１項に記載の換気装置。
【請求項９】
前記迂回禁止状態よりも前記迂回状態の方が前記迂回流路に生じる空気流れが大きくなるように前記排気ファンを制御するファン制御部（７０）をさらに備えた、
請求項８に記載の換気装置。
【請求項１０】
前記排気ファン（４３、６４３）は、前記迂回禁止状態では前記全熱交換部を介して前記外部空間に向かう空気流れを生じさせ、前記迂回状態では前記全熱交換部を介することなく前記迂回流路を介して前記外部空間に向かう空気流れを生じさせるように前記下流側排気流路（Ｂ）に位置している、
請求項８または９に記載の換気装置。
【請求項１１】
前記上流側給気流路（Ｃ）から前記全熱交換部および前記下流側給気流路（Ｄ）を介して前記対象空間に向かう空気流れを生じさせる給気ファン（４２、６４２）をさらに備え、
前記迂回禁止状態では、前記給気ファンおよび前記排気ファンの両方が駆動し、
前記迂回状態では、前記給気ファンは停止し、前記排気ファンのみが駆動する、
請求項８から１０のいずれか１項に記載の換気装置。
【発明の詳細な説明】
【技術分野】
【０００１】
本発明は、換気装置に関する。
【背景技術】
【０００２】
全熱交換エレメントを備えた換気装置として、例えば、特許文献１（特開２００７−２８５５８４号公報）に記載されているように、室内の温度調和された空気と屋外から新鮮空気とを熱交換させることで、室内の空調負荷の増大を抑えつつ、室内空気の鮮度を向上させる換気装置が提案されている。
【発明の概要】
【発明が解決しようとする課題】
【０００３】
上述の特許文献１（特開２００７−２８５５８４号公報）に記載されているような換気装置では、全熱交換エレメントの熱交換有効表面積が埃によって覆われて小さくなることを回避するために、フィルタが設けられている。このような、全熱交換エレメントに設けられたフィルタは、通風抵抗が増大しないように、定期的に清掃されることで目詰まりを防いでいる。
【０００４】
しかし、全熱交換エレメントに対して設けられたフィルタは、天井裏等に配置されているため、清掃を行う際の負担が大きくなりがちである。
【０００５】
本発明の課題は、フィルタ部のメンテナンスに要する負担を低減させることが可能な換気装置を提供することにある。
【課題を解決するための手段】
【０００６】
第１の観点に係る換気装置は、対象空間の空気と対象空間外である外部空間の空気との間で熱交換させながら換気を行うための換気装置であって、全熱交換部、上流側排気流路、下流側排気流路、上流側給気流路、下流側給気流路、迂回流路、フィルタ部、分離機構、および、ファンを備えている。全熱交換部は、対象空間の空気と外部空間の空気との間で熱交換させる。上流側排気流路は、対象空間から全熱交換部まで延びている。下流側排気流路は、全熱交換部から外部空間まで延びている。上流側給気流路は、外部空間から全熱交換部まで延びている。下流側給気流路は、全熱交換部から対象空間まで延びている。迂回流路は、上流側排気流路から分岐して、全熱交換部を迂回しながら、下流側排気流路まで延びている。フィルタ部は、上流側排気流路から全熱交換部または上流側給気流路から全熱交換部に向かう空気中の集塵を捕捉する。分離機構は、フィルタ部が捕捉している集塵をフィルタ部から分離させ、分離させた分離物を迂回流路中に存在させる。ファンは、迂回流路中における下流側排気流路に向かう空気流れを生じさせる。フィルタ部の一部は迂回流路内に位置するように配置されている。
【０００７】
この換気装置では、分離機構によって、フィルタ部が捕捉した集塵がフィルタ部から分離される。フィルタ部の目詰まり等によって、全熱交換部における熱交換効率が低減される状態を回避することが可能になっている。フィルタ部から分離された分離物は、ファンによって生じる迂回流路中の下流側排気流路側に向かう空気流れを用いて排出される。これにより、フィルタ部のメンテナンスに要する負担を低減させることが可能になる。
【０００８】
なお、仮に、上記換気装置が、上流側排気流路から迂回流路に流入する際の通風抵抗が、上流側排気流路から全熱交換部に流入する際の通風抵抗よりも小さくなるように構成されている場合には、分離物の排出をより促進させることができる。この場合には、迂回流路を流れる空気流れを、全熱交換部を流れる空気流れよりも大きくすることができ、分離物を迂回流路の空気流れによって、分離物をより排出させやすくすることができる。
【０００９】
第２の観点に係る換気装置は、第１の観点に係る換気装置において、分離機構は、掻き落とし部と、相対移動分離機構と、を有している。相対移動分離機構は、掻き落とし部に対するフィルタ部の位置を相対的に変動させる。
【００１０】
この換気装置では、相対移動分離構造によって、掻き落とし部とフィルタ部とを相対的に移動させることができるため、フィルタ部が捕捉している集塵を分離しやすくすることができる。
【００１１】
第３の観点に係る換気装置は、第２の観点に係る換気装置において、フィルタ部は、無端形状である。相対移動分離構造は、フィルタ部を循環させることにより、フィルタ部が捕捉している集塵の少なくとも一部をフィルタ部から分離させる。
【００１２】
この換気装置では、フィルタ部を循環させるだけでフィルタ部の全体を清掃することができる。このため、フィルタ部の清掃を行うための移動先のスペースを確保する必要が無くなる。
【００１３】
第４の観点に係る換気装置は、第２の観点のいずれかに係る換気装置において、フィルタ部は、一端と他端とを有している。相対移動分離構造は、フィルタ部を移動させることにより、フィルタ部が捕捉している集塵の少なくとも一部をフィルタ部から分離させる。
【００１４】
仮に、全熱交換部の周囲を一周するようにフィルタ部が設けられた構成の場合には、給気側および排気側において空気流れはフィルタ部を２回通過することになる。
【００１５】
これに対して、一端と他端とを有するフィルタ部を全熱交換部の給気側だけに設けた換気装置では、空気流れがフィルタ部を通過する回数を１回にすることができ、通風抵抗を小さく抑えることが可能になる。そして、このように通風抵抗を低減させた構成のフィルタ部であっても、集塵を分離しやすくすることができる。
【００１６】
第５の観点に係る換気装置は、第２の観点から第４の観点のいずれかに係る換気装置において、掻き落とし部は、迂回流路に配置されている。
【００１７】
この換気装置では、掻き落とし部が迂回流路に配置されているため、上流側排気流路または上流側給気流路において全熱交換部に向けて流れる空気流れに対する通風抵抗を小さく抑えることが可能になる。
【００１８】
第６の観点に係る換気装置は、第５の観点に係る換気装置において、掻き落とし部は、フィルタ部に対する位置が相対的に変動している状態で、フィルタ部に接触するブラシを有している。
【００１９】
この換気装置では、フィルタ部が掻き落とし部に接触した状態のままで相対的に移動するため、フィルタ部が捕捉している集塵を効率的に分離させることが可能になる。
【００２０】
第７の観点に係る換気装置は、第２の観点から第６の観点のいずれかに係る換気装置において、自動制御部をさらに備えている。自動制御部は、所定の相対移動に関する信号を受け付けた場合に、フィルタ部に対する掻き落とし部の位置の相対的な変動を自動的に行う。
【００２１】
この換気装置では、フィルタ部に対する掻き落とし部の位置の相対的な変動が自動的に行われるため、フィルタ部のメンテナンスに要する作業負担をよりいっそう軽減させることが可能になる。
【００２２】
第８の観点に係る換気装置は、第１の観点から第７の観点のいずれかに係る換気装置において、切換機構をさらに備えている。切換機構は、迂回状態と、迂回禁止状態と、を切換可能である。迂回状体は、上流側排気流路から迂回流路への空気流れを許容する状態である。迂回禁止状態は、上流側排気流路から迂回流路への空気流れを許容しない状態である。
【００２３】
この換気装置では、迂回流路を利用しない場合には、上流側排気流路を流れる空気流が全熱交換部を迂回することを抑制することが可能になる。
【００２４】
第９の観点に係る換気装置は、第８の観点に係る換気装置において、ファン制御部をさらに備えている。ファン制御部は、迂回禁止状態よりも迂回状態の方が迂回流路に生じる空気流れが大きくなるようにファンを制御する。
【００２５】
この換気装置は、迂回禁止状態における空気流れよりも、迂回状体の空気流れの方が大きくなるように制御することで、迂回禁止状態での空気流れと比べて、分離物を排出させやすくすることができる。
【００２６】
第１０の観点に係る換気装置は、第８の観点または第９の観点に係る換気装置において、排気ファンは、迂回禁止状態では全熱交換部を介して外部空間に向かう空気流れを生じさせ、迂回状態では全熱交換部を介することなく迂回流路を介して外部空間に向かう空気流れを生じさせるように下流側排気流路に位置している。
【００２７】
第１１の観点に係る換気装置は、第８の観点から第１０の観点のいずれかに係る換気装置において、給気ファンをさらに備えている。給気ファンは、上流側給気流路から全熱交換部および下流側給気流路を介して対象空間に向かう空気流れを生じさせる。迂回禁止状態では、給気ファンおよび排気ファンの両方が駆動するが、迂回状態では、給気ファンは停止し、排気ファンのみが駆動する。
【発明の効果】
【００２８】
第１の観点の換気装置では、フィルタ部のメンテナンスに要する負担を低減させることが可能になる。
【００２９】
第２の観点の換気装置では、フィルタ部が捕捉している集塵を分離しやすくすることができる。
【００３０】
第３の観点の換気装置では、フィルタ部の清掃を行うための移動先のスペースを確保する必要が無くなる。
【００３１】
第４の観点の換気装置では、通風抵抗を低減させた構成のフィルタ部であっても、集塵を分離しやすくすることができる。
【００３２】
第５の観点の換気装置では、上流側排気流路または上流側給気流路において全熱交換部に向けて流れる空気流れに対する通風抵抗を小さく抑えることが可能になる。
【００３３】
第６の観点の換気装置では、フィルタ部が捕捉している集塵を効率的に分離させることが可能になる。
【００３４】
第７の観点の換気装置では、フィルタ部のメンテナンスに要する作業負担をよりいっそう軽減させることが可能になる。
【００３５】
第８の観点の換気装置では、迂回流路を利用しない場合には、上流側排気流路を流れる空気流が全熱交換部を迂回することを抑制することが可能になる。
【００３６】
第９の観点の換気装置では、分離物を排出させやすくすることができる。
【図面の簡単な説明】
【００３７】
【図１】本発明の一実施形態にかかる換気装置が採用した例を示す概略構成図である。
【図２】換気装置のブロック構成図である。
【図３】換気装置の上面視における全熱交換換気状態を示す概略図である。
【図４】換気装置の上面視における排出状態を示す概略図である。
【図５】図３のＸ−Ｘ面における概略断面図である。
【図６】図３のＹ−Ｙ面における概略断面図である。
【図７】図４のＺ−Ｚ面における概略断面図である。
【図８】フィルタと掃除機構との配置関係を示す概略側面図である。
【図９】フィルタの面の法線方向から見た移動機構の概略図である。
【図１０】フィルタの面に平行な方向から見た移動機構の概略図である。
【図１１】他の実施形態（Ａ）に係るフィルタの面の法線方向から見た移動機構の概略図である。
【図１２】他の実施形態（Ａ）に係るフィルタの面に平行な方向から見た移動機構の概略図である。
【図１３】他の実施形態（Ｂ）に係る換気装置の側面視における全熱交換換気状態を示す概略図である。
【図１４】他の実施形態（Ｂ）に係る換気装置の側面視における排出状態を示す概略図である。
【図１５】他の実施形態（Ｂ）に係るフィルタと掃除機構との配置関係を示す概略側面図である。
【図１６】他の実施形態（Ｂ）の変形例に係るフィルタと掃除機構との配置関係を示す概略側面図である。
【図１７】他の実施形態（Ｃ）に係るフィルタと掃除機構との配置関係を示す概略側面図である。
【図１８】他の実施形態（Ｄ）に係る換気装置の側面視における排出状態を示す概略図である。
【図１９】他の実施形態（Ｄ）に係るフィルタと掃除機構との配置関係を示す概略側面図である。
【図２０】他の実施形態（Ｉ）に係る換気装置を採用した例を示す概略構成図である。
【発明を実施するための形態】
【００３８】
以下、本発明の換気装置１の一実施形態について、図面に基づいて説明する。
【００３９】
（１）換気装置の構成
図１は本発明の一実施形態にかかる換気装置１が採用された対象物件の概略図である。
【００４０】
図２は、換気装置１のブロック構成図である。
【００４１】
換気装置１は、建物Ｈの室内の天井裏の空間に配置されており、室内ＳＩの換気を行いつつ給気と排気とで熱交換を行わせる装置である。
【００４２】
換気装置１は、換気ユニット５、上流側排気ダクト２１、下流側排気ダクト２２、上流側給気ダクト２３、下流側給気ダクト２４、室内温度センサＴＨ１、室外温度センサＴＨ２、制御部７０、および、リモコン９７等を備えている。
【００４３】
換気ユニット５は、ケーシング５０、バイパスダクト３８、バイパスダンパ３９、給気ファン４２、排気ファン４３、熱交換エレメント５０ａ、第１フィルタ５１、第２フィルタ５３、フィルタ移動機構６０、第１掃除用ブラシ６５、および、第２掃除用ブラシ６６を有している。
【００４４】
ケーシング５０は、内部に、略四角柱形状の熱交換エレメント５０ａ、給気ファン４２、排気ファン４３等を収容しており、上流側排気ダクト２１、下流側排気ダクト２２、上流側給気ダクト２３および下流側給気ダクト２４とそれぞれ接続するための開口が設けられている。ケーシング５０内には、熱交換エレメント５０ａに対して上流側排気ダクト２１側には上流側排気用空間２１ａが、熱交換エレメント５０ａに対して下流側排気ダクト２２側には下流側排気用空間２２ａが、熱交換エレメント５０ａに対して上流側給気ダクト２３側には上流側給気用空間２３ａが、熱交換エレメント５０ａに対して下流側給気ダクト２４側には下流側給気用空間２４ａが、それぞれ設けられている。
【００４５】
給気ファン４２は、下流側給気用空間２４ａに配置されており、給気ファンモータ４２ｍを有している。排気ファン４３は、下流側排気用空間２２ａに配置されており、排気ファンモータ４３ｍを有している。
【００４６】
上流側排気ダクト２１は、室内ＳＩの天井に設けられた開口１３を介して、ケーシング５０の上流側排気用空間２１ａまで延びている。下流側排気ダクト２２は、ケーシング５０の下流側排気用空間２２ａから、屋外ＳＯに向けて開口している開口１５まで延びている。上流側給気ダクト２３は、開口１５とは別に屋外ＳＯに向けて開口している開口１４から、ケーシング５０の上流側給気用空間２３ａまで延びている。下流側給気ダクト２４は、ケーシング５０の下流側給気用空間２４ａから、室内ＳＩの天井に設けられた開口１３とは別の開口１２まで延びている。
【００４７】
上流側排気ダクト２１と上流側排気用空間２１ａとは、熱交換エレメント５０ａに対する上流側排気流路Ａを構成している。下流側排気ダクト２２と下流側排気用空間２２ａとは、熱交換エレメント５０ａに対する下流側排気流路Ｂを構成している。上流側給気ダクト２３と上流側給気用空間２３ａとは、熱交換エレメント５０ａに対する上流側給気流路Ｃを構成している。下流側給気ダクト２４と下流側給気用空間２４ａとは、熱交換エレメント５０ａに対する下流側給気流路Ｄを構成している。
【００４８】
図５の側面視断面図および図１に示すように、屋外ＳＯの外気ＯＡは、給気ファン４２が駆動することで、上流側給気流路Ｃを介して、熱交換エレメント５０ａに至り、熱交換エレメント５０ａを通過した空気は、新鮮な給気ＳＡとして室内ＳＩに供給される。図６の側面視断面図および図１に示すように、室内ＳＩの室内空気ＲＡは、排気ファン４３が駆動することで、上流側排気流路Ａを介して、熱交換エレメント５０ａに至り、熱交換エレメント５０ａを通過した空気は、排気ＥＡとなって屋外ＳＯに排出される。ここで、熱交換エレメント５０ａでは、互いに混ざり合うことがないようにしつつ室内空気ＲＡと外気ＯＡとの間で熱交換を行わせ、屋外ＯＡの温度を室内ＳＩの室内空気ＲＡの温度に近づけることで、換気に伴う空調負荷等を低減化させている。
【００４９】
バイパスダクト３８は、上流側排気用空間２１ａと下流側排気用空間２２ａとを、熱交換エレメント５０ａを迂回しつつ、接続している。ケーシング５０のうちバイパスダクト３８と上流側排気用空間２１ａとの接続部分には、バイパス用開口３８ａが設けられている。バイパスダンパ３９は、図３に示すようにバイパス用開口３８ａを閉じた状態と、図４に示すようにバイパス用開口３８ａを開けた状態と、を切り換えることができるように設けられている。なお、バイパスダクト３８の下面は、後述する第１フィルタ５１と第１掃除用ブラシ６５との圧接部分と、第２フィルタ５３と第２掃除用ブラシ６６との圧接部分と、の鉛直下方側に設けられている。
【００５０】
バイパスダンパ３９の切り換え状態が操作されて、バイパス用開口３８ａが開いた状態で排気ファン４３が駆動すると、図７の側面視断面図および図１に示すように、室内ＳＩの室内空気ＲＡは、上流側排気流路Ａを介して、熱交換エレメント５０ａを通過することなく迂回して、バイパスダクト３８内をバイパス流ＢＡとして通過し、下流側排気流路Ｂを介して排気ＥＡとなって屋外ＳＯに排出される。
【００５１】
第１フィルタ５１は、熱交換エレメント５０ａのうち、上流側排気用空間２１ａに露出している部分を覆うように配置されている。第２フィルタ５３は、熱交換エレメント５０ａのうち、上流側給気用空間２３ａに露出している部分を覆うように配置されている。これにより、外気ＯＡおよび室内空気ＲＡのいずれの空気についても、熱交換エレメント５０ａに供給する前に埃を除去することができ、熱交換エレメント５０ａ内に集塵Ｇが流入することを防ぐことができている。この第１フィルタ５１および第２フィルタ５３の各一部は、バイパスダクト３８において貫通して設けられた開口を介して、バイパスダクト３８内に位置するように配置されている。なお、第１フィルタ５１および第２フィルタ５３は、循環方向において無端形状となっており、フィルタ移動機構６０の回転軸方向視において輪を構成するように設けられている。
【００５２】
フィルタ移動機構６０は、バイパスダクト３８内に配置されており、バイパスダクト３８内に位置している第１フィルタ５１、第２フィルタ５３の一部を保持している。フィルタ移動機構６０は、この第１フィルタ５１、第２フィルタ５３の保持部分を介して、第１フィルタ５１、第２フィルタ５３を循環移動させる。具体的には、側面視概略配置図である図８、平面視概略構成図である図９、および、回転軸方向視概略構成図である図１０に示すように、フィルタ移動機構６０は、第１フィルタ５１を保持する第１フィルタ保持軸６１ａと第１フィルタ用モータ６１ｍ、および、第２フィルタ５３を保持する第２フィルタ保持軸６３ａと第２フィルタ用モータ６３ｍを有している。第１フィルタ用モータ６１ｍが回転駆動することで第１フィルタ保持軸６１ａが回転し、第１フィルタ５１が、熱交換エレメント５０ａを通過する空気流れ方向に対して直行する方向に向けてスライドしながら、循環移動する。第２フィルタ５３についても同様である。
【００５３】
第１掃除用ブラシ６５は、図８、図９、および、図１０に示すように、バイパスダクト３８内に位置している第１フィルタ５１の一部と水平方向において圧接するように、側面視方向に並んで配置されており、第１フィルタ５１がフィルタ移動機構６０によって循環移動されている状態で、第１ブラシ用モータ６５ｍを駆動させることにより、第１フィルタ５１が捕捉していた集塵Ｇが掻き落とされる。ここでは、第１フィルタ５１と第１掃除用ブラシ６５とが圧接している部分において、第１フィルタ５１の進行方向と、第１掃除用ブラシ６５の回転進行方向とが、対向するように駆動される。第２掃除用ブラシ６６は、第１掃除用ブラシ６５と同様に、バイパスダクト３８内に位置している第２フィルタ５３の一部と水平方向において圧接するように、側面視方向に並んで配置されており、第２フィルタ５３がフィルタ移動機構６０によって循環移動されている状態で、第２ブラシ用モータ６６ｍを駆動させることにより、第２フィルタ５３が捕捉していた集塵Ｇを掻き落とす。ここで、第１掃除用ブラシ６５および第２掃除用ブラシ６６は、バイパスダクト３８内に配置されており、第１フィルタ５１や第２フィルタ５３と第１掃除用ブラシ６５や第２掃除用ブラシ６６との圧接部分の鉛直下方にバイパスダクト３８の下面が位置しているため、第１フィルタ５１、第２フィルタ５３から掻き落とされた集塵Ｇは、自重で落下した後、バイパスダクト３８内に存在するようになる。
【００５４】
室内温度センサＴＨ１は、室内ＳＩの温度を検出する。室外温度センサＴＨ２は、屋外ＳＯの温度を検出する。
【００５５】
リモコン９７は、室内ＳＩに存在しているユーザが換気装置１について、各種設定操作するためのものである。
【００５６】
制御部７０は、図２に示すように、給気ファンモータ４２ｍ、排気ファンモータ４３ｍ、リモコン９７、室内温度センサＴＨ１、室外温度センサＴＨ２、バイパスダンパ３９、第１フィルタ用モータ６１ｍ、第２フィルタ用モータ６３ｍ、第１ブラシ用モータ６５ｍ、および、第２ブラシ用モータ６６ｍと接続されており、各種温度情報を取得したり、これらの各機器の駆動状体を制御する。
【００５７】
（２）換気動作
制御部７０は、室内温度センサＴＨ１の検知温度と室外温度センサＴＨ２の検知温度とが、換気運転を開始させるための所定の関係条件を満たした場合には、図３に示すように、バイパスダンパ３９によってバイパス用開口３８ａが閉じられた状態となるようにして、給気ファン４２および排気ファン４３を駆動させることで換気動作を行う。この際、バイパスダクト３８内には、空気流れが生じない。
【００５８】
このように、換気動作を行うことで、室内ＳＩに対して、新鮮な空気を供給することができる。さらに、室内ＳＩに供給される給気ＳＡは、熱交換エレメント５０ａにおいて室内空気ＲＡと熱交換することで、室内温度に近づけることができ、室内ＳＩの空調負荷等を低減させることができる。
【００５９】
（３）フィルタ掃除動作
制御部７０は、１月に１回、もしくは、１年に１回等の予め定められた所定時間間隔で、第１フィルタ５１および第２フィルタ５３を清掃するフィルタ掃除動作を行う。ここでの所定時間間隔は、ユーザによってリモコン９７等を用いて予め設定しておくことができる。
【００６０】
制御部７０は、図４に示すように、バイパスダンパ３９を自動的に操作してバイパス用開口３８ａを開けた状態とし、給気ファン４２を停止状態としたままで、排気ファン４３のみを駆動させ、フィルタ掃除動作を行う。ここで、制御部７０は、フィルタ掃除動作を行う際の排気ファン４３の風量を、換気動作を行う際の風量よりも大きくなるように調節する。また、制御部７０は、図８、図９、図１０に示すように、第１フィルタ用モータ６１ｍ、第２フィルタ用モータ６３ｍ、第１ブラシ用モータ６５ｍ、および、第２ブラシ用モータ６６ｍを駆動させることで、第１フィルタ５１が捕捉していた集塵Ｇおよび第２フィルタ５３が捕捉していた集塵Ｇをそれぞれ掻き落としていく。
【００６１】
この際に、排気ファン４３が駆動されることで、バイパスダクト３８内に空気流れ（バイパス流ＢＡ）が生じており、換気動作の際の風量よりも大きくなるように調節されているため、バイパスダクト３８内に掻き落とされた集塵Ｇや、第１掃除用ブラシ６５および第２掃除用ブラシ６６に付着している集塵Ｇについても、バイパスダクト３８内に生じた空気流れ（バイパス流ＢＡ）によって、効率良く排出させることができる。
【００６２】
なお、フィルタ掃除動作中は給気ファン４２が停止しているため、上流側給気流路Ｃ、下流側給気流路Ｄ、および熱交換エレメント５０ａのうちのこれらの流路を接続する部分には、空気流れが生じていない。このため、仮に、フィルタ５１が捕捉していた集塵Ｇが下流側給気流路Ｄ内に到達してしまうことがあっても、室内ＳＩに送られることを防ぐことができる。
【００６３】
（４）換気装置１の特徴
（４−１）
上記実施形態の換気装置１では、第１フィルタ５１および第２フィルタ５３によって熱交換エレメント５０ａ内部に集塵Ｇが入り込んでしまうことを防ぐことができている。そして、所定時間間隔で第１フィルタ５１および第２フィルタ５３が掃除されることで、第１フィルタ５１および第２フィルタ５３の目詰まりを生じさせにくくすることができている。これにより、排気ファン４３や給気ファン４２の消費電力を小さく抑えることも可能になっている。また、このように所定時間間隔でフィルタ掃除動作を行うことで、一回の掃除によって屋外ＳＯに排出される集塵Ｇの量を少なくすることができる。
【００６４】
フィルタ掃除動作によって第１フィルタ５１や第２フィルタ５３から掻き落とされた集塵Ｇは、バイパスダクト３８内を流れる空気流れによって、屋外ＳＯに排出することができる。このため、第１フィルタ５１や第２フィルタ５３を掃除するために、ユーザやサービスエンジニアが、室内ＳＩの天井裏の空間に入り込む等の煩雑な動作を行う必要がない。さらに、全熱交換換気を行うために換気ユニット５に予め備わっている排気ファン４３を流用して、集塵Ｇの排出を行うことができるため、バイパスダクト３８等の新たな構成を設ける程度の簡単な構成によって、フィルタ掃除動作を自動的に行うことが可能になっている。
【００６５】
上記第１フィルタ５１から集塵Ｇを掻き落とすための第１掃除用ブラシ６５、および、第２フィルタ５３から集塵Ｇを掻き落とすための第２掃除用ブラシ６６は、バイパスダクト３８内に配置されている。そして、第１フィルタ５１や第２フィルタ５３についても、その一部がバイパスダクト３８内に位置しており、循環移動によって全体をバイパスダクト３８内に移動させることができるようになっている。このため、第１掃除用ブラシ６５や第２掃除用ブラシ６６によって掻き落とされた集塵Ｇは、バイパスダクト３８内に移動させる手段等を用いることなく、そのままバイパスダクト３８内に存在させることができ、容易に屋外ＳＯに排出することができる。
【００６６】
さらに、上記第１フィルタ５１および第２フィルタ５３は、無端形状であるため、循環移動させることが可能である。この循環移動が可能な構成によって、第１フィルタ５１および第２フィルタ５３は、その全体を掃除することができるようになっている。このように、第１フィルタ５１および第２フィルタ５３を循環移動させ、第１掃除用ブラシ６５や第２掃除用ブラシ６６の位置を固定させておくことで、集塵Ｇを第１掃除用ブラシ６５および第２掃除用ブラシ６６の近傍に容易に集めることができる。さらに、第１フィルタ５１や第２フィルタ５３のうち、集塵Ｇを捕捉している部分を第１掃除用ブラシ６５や第２掃除用ブラシ６６の位置まで移動させる場合であっても、第１フィルタ５１および第２フィルタ５３の全体の位置は変わらないため、清掃のために別途新たにスペースを設ける必要がなくなっている。
【００６７】
（４−２）
上記実施形態の換気装置１では、換気動作を行う際の排気ファン４３の風量よりも、フィルタ掃除動作の排気ファン４３の風量の方が大きくなるように制御を行っている。このため、より効果的に集塵Ｇを排出させることができる。
【００６８】
また、熱交換エレメント５０ａは、通過する空気を接触させる表面積をできるだけ確保するように構成されているため、通過する空気に対して通風抵抗となりやすいが、バイパスダクト３８内には、このような通風抵抗となるような要素は配置されていない。このため、同じ出力で排気ファン４３を動作させる場合であっても、換気動作において上流側排気流路Ａから下流側排気流路Ｂに向けて熱交換エレメント５０ａに空気を通過させる場合と比べて、熱交換エレメント５０ａを迂回させてバイパスダクト３８内に空気を通過させる場合の方が、風速を向上させることができる。これにより、バイパスダクト３８内の集塵Ｇをより排出させやすくすることができている。
【００６９】
＜他の実施形態＞
以上、本発明の一実施形態について図面に基づいて説明したが、具体的な構成は、この実施形態に限られるものではなく、以下のように、発明の要旨を逸脱しない範囲で変更可能である。
【００７０】
（Ａ）
上記実施形態の換気装置１では、フィルタ移動機構６０の回転軸方向視において輪を形成するような無端形状の第１フィルタ５１および第２フィルタ５３について例に挙げて説明した。
【００７１】
しかし、本発明はこれに限られるものではなく、例えば、図１１および図１２に示すように、輪状ではなく端部を有するように構成された第１フィルタ２５１と、フィルタ移動機構２６０とを採用するようにしてもよい。
【００７２】
このフィルタ移動機構２６０は、第２支持軸２６１ｂと、第１フィルタ２５１を巻き取り可能な第１支持軸２６１ａとを有している。第２支持軸２６１ｂは、図示しないバネ機構を有しており、第１フィルタ２５１を自己の中に巻き込むようにして、第１フィルタ２５１にテンションを与える。第１支持軸２６１ａは、第１支持軸側モータ２６１ｍを駆動させて、第２支持軸２６１ｂによって引っ張られる力に逆らって、第１フィルタ２５１を自己の方に巻き取ることで、第１フィルタ２５１のうち第２支持軸２６１ｂが巻き込んでいた部分であって未だ集塵Ｇを捕捉していない部分を第２支持軸２６１ｂの外部に露出させることができる。そして、第１フィルタ２５１のうち、熱交換エレメント５０ａに対する空気流れ中に配置されており、集塵Ｇを捕捉していた部分は、第１支持軸２６１ａに巻き取られる前に、第１掃除用ブラシ６５によって掻き落とされる。そして、第１掃除用ブラシ６５によって清掃された第１フィルタ２５１の当該部分は、きれいな状態になって第１支持軸２６１ａに巻き取られる。
【００７３】
その後、第２支持軸２６１ｂから新たに露出した部分を用いて、熱交換エレメント５０ａに向かう空気に含まれる集塵Ｇを捕捉する。
【００７４】
このように、第２支持軸２６１ｂから第１支持軸２６１ａ側に向けて第１フィルタ２５１を所定長さだけ送った後に、第１支持軸２６１ａ側の引き込む力を解除し、清掃後のきれいになった第１フィルタ２５１を再び第２支持軸２６１ｂに巻き込ませる。このようにして、繰り返して第１フィルタ２５１を利用するようにしてもよい。
【００７５】
なお、他の実施形態（Ａ）では、第１フィルタ２５１について中心に説明したが、上記実施形態における第２フィルタ５３に相当する部分についても、第１フィルタ２５１およびフィルタ移動機構２６０と同様の構成を採用してもよい。
【００７６】
（Ｂ）
上記実施形態の換気装置１では、熱交換エレメント５０ａの空気通過方向に対して垂直方向に循環移動する第１フィルタ５１および第２フィルタ５３を有し、バイパスダクト３８が水平方向に並んで配置された換気装置１について例に挙げて説明した。
【００７７】
しかし、本発明はこれに限られるものではなく、例えば、図１３、図１４および図１５に示すように、バイパスダクト３３８が、熱交換エレメント５０ａの鉛直方向下方に配置された換気ユニット３０５であってもよい。
【００７８】
換気ユニット３０５のケーシング３５０は、上流側排気用空間２１ａ側の熱交換エレメント５０ａの面の鉛直方向下方において、鉛直方向に開口した開口３３８ａを有している。下流側排気用空間２２ａにおいても、鉛直方向に開口した開口３３８ｂを有している。バイパスダンパ３３９aは、開口３３８ａを開閉可能に設けられている。バイパスダンパ３３９ｂは、開口３３８ｂを開閉可能に設けられている。図１３は、バイパスダンパ３３９aが開口３３８ａを閉じており、バイパスダンパ３３９ｂが開口３３８ｂを閉じており、上記実施形態と同様にして換気動作を行う状態をしめしている。また、図１４は、バイパスダンパ３３９aが開口３３８ａを開けており、バイパスダンパ３３９ｂが開口３３８ｂを開けており、フィルタ掃除動作を行う状態をしめしている。
【００７９】
この換気ユニット３０５のフィルタ３５１は、上記実施形態の第１フィルタ５１や第２フィルタ５３とは異なり、熱交換エレメント５０ａの上流側排気流路Ａ側の面と上流側給気流路Ｃ側の面との両方を覆うようにして、一体に構成されている。
【００８０】
フィルタ移動機構３６０は、熱交換エレメント５０ａの下端部分に沿うように上下に並べて２つ配置された支持軸３６１ａ、３６１ｂと、熱交換エレメント５０ａの空気流れ方向一端部分に沿うように配置された支持軸３６１ｃと、熱交換エレメント５０ａの空気流れ方向の他端部分に沿うように配置された支持軸３６１ｄと、を有している。
【００８１】
フィルタ３５１は、各支持軸３６１ａ、３６１ｂ、３６１ｃ、３６１ｄの軸方向視において輪を構成するように設けられた無端形状である。フィルタ３５１は、自身の輪の内側に支持軸３６１ａ、３６１ｃ、３６１ｄを、自身の輪の外側に支持軸３６１ｂを位置させるようにして、配置されている。
【００８２】
なお、掃除用ブラシ３６５は、熱交換エレメント５０ａの下端部分に沿うように延びて設けられている支持軸３６１ａの下方において、支持軸３６１ａと軸方向を共通にするようにして設けられている。なお、フィルタ３５１と掃除用ブラシ３６５の圧接部分では、フィルタ移動機構３６０の回転によるフィルタ３５１の移動方向と、掃除用ブラシ３６５の回転よるブラシの移動方向とは、対向する方向となるように構成されている。
【００８３】
フィルタ３５１は、上述のように無端形状であるため、フィルタ移動機構３６０によってフィルタ３５１を移動させることで、集塵Ｇを捕捉した部分を掃除用ブラシ３６５の位置まで移動させることができる。このため、フィルタ３５１の全体を掃除することが可能になっている。なお、フィルタ３５１から掻き落とされた集塵Ｇについては、鉛直下方に配置されているバイパスダクト３３８内に落下するため、バイパスダクト３８内まで集塵Ｇを運ぶ構成を設けることなく、簡易な構成によって、バイパスダクト３８内の空気流れによって容易に排出することができる。
【００８４】
なお、本他の実施形態（Ｂ）の例では、掃除用ブラシ３６５の位置が固定されている場合を前提として説明したが、例えば、図１６に示したように、フィルタ３５１に対して移動可能な掃除用ブラシ３６５ａを有するフィルタ移動機構３６０ａを設けた構成としてもよい。なお、ここで移動可能な掃除用ブラシ３６５ａを採用した場合には、フィルタ３５１から掻き落とされた集塵Ｇが効率良くバイパスダクト３８内に集まる位置まで、掃除用ブラシ３５６ａを移動させてから、フィルタ３５１の集塵Ｇを掻き落とすことが望ましい。
【００８５】
また、掃除用ブラシ３６５ａのように移動可能な構成とした場合には、フィルタ３５１は、熱交換エレメント５０ａに対して固定された構成であってもよい。
【００８６】
（Ｃ）
上記実施形態の換気装置１では、熱交換エレメント５０ａに対して、フィルタが、上流側排気流路Ａ側の面と上流側給気流路Ｃ側の面とのみに設けられている場合を例に挙げて説明した。
【００８７】
しかし、本発明はこれに限られるものではなく、例えば、図１７に示すように、熱交換エレメント５０ａの上流側排気流路Ａ側の面と、下流側排気流路Ｂ側の面と、上流側給気流路Ｃ側の面と、下流側給気流路Ｄ側の面と、の４面全てを覆うように配置され、これらが一体化して構成されたフィルタ４５１と、フィルタ移動機構４６０と、を有するように構成してもよい。
【００８８】
フィルタ移動機構４６０は、熱交換エレメント５０ａの下端部、上端部、空気流れ方向の両端部に、それぞれ沿うように設けられた支持軸４６１ａ、４６１ｂ、４６１ｃ、４６１ｄを有している。
【００８９】
なお、掃除用ブラシ４６５は、移動可能に構成されていても、位置が固定されていても、いずれであってもよい。
【００９０】
この構成において、フィルタ４５１を移動させる場合には、移動前に、上流側排気流路Ａ側に位置していた部分や上流側給気流路Ｃ側に位置していた部分等の集塵Ｇを捕捉していた部分については、掃除用ブラシ４６５によって掃除される前に、下流側給気流路Ｄ側に位置することの無いように、フィルタ移動機構４６０による移動制御を行うことが望ましい。未掃除で且つ集塵Ｇを捕捉している部分を、下流側給気流路Ｄ側に位置させてしまうと、給気ファン４２が駆動した際に、室内ＳＩ側に集塵Ｇが送られてしまことがあり、これを避けることが望ましいためである。
【００９１】
したがって、例えば、まず、図１７の側面視においてフィルタ４５１を左回転させることで、フィルタ４５１のうち換気動作時に上流側排気流路Ａ側に存在していた部分を、掃除用ブラシ４６５の位置まで移動させつつ清掃した後（この状態で、上流側給気流路Ｃ側に存在していた部分は、下流側排気流路Ｂ側に存在することになる）、それ以上左回転させることなく、図１７の側面視においてフィルタ４５１を右回転させることで、フィルタ４５１のうち換気動作時に上流側給気流路Ｃ側に存在していた部分を、掃除用ブラシ４６５の位置まで移動させつつ清掃する。このとき、フィルタ４５１のうち換気動作時に上流側排気流路Ａ側に存在して集塵Ｇを捕捉していた部分が、下流側給気流路Ｄ側に位置することになるが、そのときには既に集塵Ｇが掻き落とされた状態であるため、下流側給気流路Ｄ内に集塵Ｇが存在することを抑制できる。
【００９２】
（Ｄ）
上記実施形態の換気装置１では、第１フィルタ５１や第２フィルタ５３から集塵Ｇを掻き落とすために、第１掃除用ブラシ６５および第２掃除用ブラシ６６を用いる場合を例に挙げて説明した。
【００９３】
しかし、本発明はこれに限られるものではなく、例えば、図１８および図１９に示すように、ケーシング５５０の一部分として、例えば、バイパスダクト５３８を構成するための壁面５５５の一部分である掻き落とし部５６５に、フィルタ５５１の集塵Ｇを捕捉していた部分を押し当てつつスライドさせるようにすることで、集塵Ｇを掻き落とすようにした換気ユニット５０５を採用してもよい。
【００９４】
この換気ユニット５０５のケーシング５５０は、上流側排気用空間２１ａ側の熱交換エレメント５０ａの面の鉛直方向下方において、鉛直方向に開口した開口５３８ａを有している。下流側排気用空間２２ａにおいても、鉛直方向に開口した開口５３８ｂを有している。バイパスダンパ５３９aは、開口５３８ａを開閉可能に設けられている。バイパスダンパ５３９ｂは、開口５３８ｂを開閉可能に設けられている。図１８は、バイパスダンパ５３９aが開口５３８ａを開けており、バイパスダンパ５３９ｂが開口５３８ｂを開けており、フィルタ掃除動作を行う状態をしめしている。
【００９５】
この換気ユニット５０５のフィルタ５５１は、図１９に示すように、上記他の実施形態（Ｂ）と同様であり、熱交換エレメント５０ａの上流側排気流路Ａ側の面と上流側給気流路Ｃ側の面との両方を覆うようにして、一体に構成されている。
【００９６】
フィルタ移動機構５６０も、上記他の実施形態（Ｂ）と同様であり、熱交換エレメント５０ａの下端部分に沿うように上下に並べて２つ配置された支持軸５６１ａ、５６１ｂと、熱交換エレメント５０ａの空気流れ方向の両端部にそれぞれ沿うように配置された支持軸５６１ｄ、５６１ｄとを有している。
【００９７】
フィルタ５５１は、各支持軸５６１ａ、５６１ｂ、５６１ｃ、５６１ｄの軸方向視において輪を構成するように設けられた無端形状である。このフィルタ５５１は、自身の内側に支持軸５６１ａ、５６１ｃ、５６１ｄを、自身の外側に支持軸５６１ｂを位置させるようにして、配置されている。
【００９８】
このように構成されたフィルタ５５１は、フィルタ移動機構５６０によって循環移動される際に、バイパスダクト５３８を構成するための壁面５５５の先端部分に設けられた掻き落とし部５６５に押し当てられながらスライドされることで、捕捉していた集塵Ｇが掻き落とされる。
【００９９】
この掻き落とし部５６５としては、先端が突出している形状であることが好ましい。
【０１００】
また、集塵Ｇがフィルタ５５１から掻き落とされる効率を上げるために、この掻き落とし部５６５がフィルタ５５１に接する部分において、フィルタ５５１の形状を外側に凸になるように湾曲させることができる構成であることが好ましい。この他の実施形態（Ｄ）の例は、フィルタ５５１は、支持軸５６１ａの近傍において外側に凸に湾曲しており、その湾曲部分が掻き落とし部５６５に接するように構成されているため、集塵Ｇの掻き落としを効率的に行うことができる。
【０１０１】
（Ｅ）
上記実施形態では熱交換エレメント５０ａにおいて熱交換換気された空気を、そのまま室内ＳＩに供給する換気装置１を例に挙げて説明した。
【０１０２】
しかし、本発明はこれに限定されるものではなく、例えば、熱交換エレメント５０ａを通過した新鮮な空気を、別途設けられた空気調和装置の室内機の熱交換器をさらに通じさせた後に、室内ＳＩに供給するようにしてもよい。
【０１０３】
（Ｆ）
上記実施形態の換気装置１では、第１フィルタ５１や第２フィルタ５３から掻き落とした集塵Ｇを、屋外ＳＯに排出する場合について例に挙げて説明した。
【０１０４】
しかし、本発明はこれに限られるものではなく、例えば、下流側排気流路Ｂの途中の屋外ＳＯに到達する前の位置であって、室内ＳＩ側からのアクセスが容易な位置に設けられた、集塵溜め部のような空間を設けるようにしてもよい。このように室内ＳＩ側からのアクセスが容易な位置に集塵Ｇを集めておき、定期的にユーザが溜まった集塵Ｇを処理するようにした場合であっても、上記実施形態と同様に、換気ユニット５を分解してフィルタの掃除を行う等の煩雑な作業を行う必要がなくなる。
【０１０５】
（Ｇ）
上記実施形態の換気装置１では、ユーザによって予め定められた時間間隔によってフィルタ掃除動作を行う場合について例に挙げて説明した。
【０１０６】
しかし、本発明はこれに限られるものではなく、例えば、換気動作が行われた合計の時間長さや、予め定めた日時、時刻に従って、制御部７０がフィルタ掃除動作を開始するようにしてもよい。
【０１０７】
また、第１フィルタ５１や第２フィルタ５３の汚れ度合いを検知するセンサや、通過する空気の汚れ度を検知するセンサ等を用いて、センサによる検知結果に応じてフィルタ掃除動作を開始するようにしてもよい。
【０１０８】
（Ｈ）
上記実施形態の１では、フィルタ掃除動作を行う場合には、給気ファン４２を停止させる場合について例に挙げて説明した。
【０１０９】
しかし、本発明はこれに限られるものではなく、例えば、集塵Ｇが下流側給気流路Ｄ内に到達することを抑制させる構造を採用した場合には、フィルタ掃除動作中であっても、給気ファン４２の駆動を、換気動作時と同様に継続させるようにしてもよい。
【０１１０】
また、フィルタ掃除動作中に給気ファン４２を完全に停止させるのではなく、換気動作時の場合よりも風量を弱めて駆動させるようにしてもよい。
【０１１１】
（Ｉ）
上記実施形態の換気装置１では、排気ファン４３がケーシング５０の下流側排気用空間２２ａ内に配置され、給気ファン４２がケーシング５０の下流側給気用空間２４ａ内に配置された場合について例に挙げて説明した。
【０１１２】
しかし、本発明はこれに限られるものではなく、例えば、図２０に示すように、排気ファン６４３および排気ファンモータ６４３ｍをケーシング５０の上流側排気用空間２１ａ内に配置し、給気ファン６４２および給気ファンモータ６４２ｍをケーシング５０の上流側給気用空間２３ａ内に配置した換気ユニット６０５を有する換気装置６０１としてもよい。
【０１１３】
また、給気ファンと排気ファンの配置については、上記実施形態の配置と本他の実施形態の配置とを適宜組み合わせるようにしてもよい。
【０１１４】
なお、排気ファン６４３を、上流側排気用空間２１ａ内に配置した場合には、フィルタ掃除動作によって第１フィルタ５１や第２フィルタ５３から掻き落とされた集塵Ｇが、屋外ＳＯに排出されるまでの間に排気ファン４３が存在しないことになるため、集塵Ｇを排気ファン６４３が取り込んでしまうことによる不具合を抑制することができる。
【０１１５】
（Ｊ）
上記実施形態の１では、第１フィルタ５１や第２フィルタ５３が捕捉した集塵Ｇを掻き落とすことでフィルタ掃除動作を行う場合を例に挙げて説明した。
【０１１６】
しかし、本発明はこれに限られるものではなく、例えば、集塵Ｇと共に、第１フィルタ５１や第２フィルタ５３に付着している他の付着物についても、一緒に掻き落とすようにしてもよい。
【０１１７】
（Ｋ）
上記実施形態および上記（Ａ）〜（Ｊ）の各他の実施形態は、発明をこれらに限定するものではなく、当業者に自明な手法によって上記実施形態および（Ａ）〜（Ｊ）の内容を各種組み合わせて行うことができ、そのようにして組み合わされた内容も本発明に含まれる。
【産業上の利用可能性】
【０１１８】
本発明の換気装置は、フィルタ部のメンテナンスに要する負担を低減させることが可能なため、フィルタを有する換気装置において、特に、有用である。
【符号の説明】
【０１１９】
１  換気装置
３８  バイパスダクト（迂回流路）
３９  バイパスダンパ（切換機構）
４３  排気ファン（ファン）
５０ａ  熱交換エレメント（全熱交換部）
５１  フィルタ（フィルタ部）
６５、６６  掃除用ブラシ（ブラシ、分離機構、掻き落とし部、相対移動分離構造）
７０  制御部（自動制御部、ファン制御部）
５６５  掻き落とし部（分離機構、掻き落とし部）
Ａ  上流側排気流路
Ｂ  下流側排気流路
Ｃ  上流側給気流路
Ｄ  下流側給気流路
ＳＩ  室内（対象空間）
ＳＯ  屋外（外部空間）
【先行技術文献】
【特許文献】
【０１２０】
【特許文献１】特開２００７−２８５５８４号公報
【図１】
0005533451.tif 000002
【図２】
0005533451.tif 000003
【図３】
0005533451.tif 000004
【図４】
0005533451.tif 000005
【図５】
0005533451.tif 000006
【図６】
0005533451.tif 000007
【図７】
0005533451.tif 000008
【図８】
0005533451.tif 000009
【図９】
0005533451.tif 000010
【図１０】
0005533451.tif 000011
【図１１】
0005533451.tif 000012
【図１２】
0005533451.tif 000013
【図１３】
0005533451.tif 000014
【図１４】
0005533451.tif 000015
【図１５】
0005533451.tif 000016
【図１６】
0005533451.tif 000017
【図１７】
0005533451.tif 000018
【図１８】
0005533451.tif 000019
【図１９】
0005533451.tif 000020
【図２０】
0005533451.tif 000021